(57)【要約】      （修正有）【課題】布地をバイヤス使いにし、タックやダーツで立体的に縫製し、フロント下部にピラミッド型の立体部を形成したパンツ、及び自動車シートを提供する。【解決手段】ストレッチできる布地を左バイヤスと右バイヤスに裁断し、ダーツ又はタックをとりながら前身下部で合体縫い合わせ山型に突出したパンツや、複雑な形状に沿う自動車シートを形成する。【選択図】図１
2008163536.tif 000002
【特許請求の範囲】
【請求項１】
Ｓｔｒｅｔｃｈａｂｌｅ  ＣＬＯＴＨＳ（ストレッチ出来る布地）を山片凸形で機能を発生させる方法と布地を人口的に凸部山型３Ｄ立体的に形成する布地製造する方法と次に凹部を谷型３Ｄ立体に形成を形くずれを起さない、ストレッチ性と山型部と谷型を同時に形成する布地を製造する方法であって、図１（ａ）右布バイアスＲ７と図１（ｂ）左布バイアスＬ７の空白ｘをダーツカット部Ｒ８（左）Ｌ８（右）で凸型と凹部前身９立体の布地裁断方法はＫｎｉｔ布、プラスチック布、皮布、ポリウレタン糸布（高分糸センイＳ形左と逆Ｓ形右形）糸布の中央部の左ダーツＲ８と左ダーツを同時カット裁断ｘした図２（ａ）パンツ前身下部両ダーツを第１縫い合せるｘはバイヤスＲ７とバイアスＬ７の両側１１縫い上るとＭ字形谷凹み１２形成し次に図２（ｂ）の後身１０の突先１０′股下後身を左〜右に引伸ばし部１０′と先の前身股下Ｍ形部１２のＷダーツを合体縫い合せ図２（ｅ）で前身９と後身１０は、合体部１２は谷片部Ｍ形成されると同時に山片凸部１３が突如出現する布地の立体的に形成させる布地の製造と裁断方法で伸張を必要とする衣類やシート布、特に機能性の伸縮力を有する自動車シート、パンツ布地の製造方法裁断工程、とからなることを特徴とする裁断方法。
【請求項２】
ストレッチ出来る布地（Ｓｔｒｅｔｃｈａｂｌｅ  ＣＬＯＴＨＳ）谷片凹部１２を左バイアス（図１）（ａ）〜（ｅ）右バイアス（図１）（ｂ）〜（ｆ）布地を伸縮性支持部材としその伸縮性を受留る部材が縦地又は横地布を主布地として谷片凹部を形成する方法を自動車座席シートで図５（ｆ）はバイアス左部材布とバイアス右部材布を縫い合せ合体後中央Ｖダーツ分量カット切り落し（黒部）と左と右渕にもＶカットで合計３ヵ所の方法で裁断した両左〜右支持部縫合せ後３ヶ所カット部材が主布地（縦又は横地布）で強引に縫い合されると図５（ｇ）出来上り図でＹ字形に変形縫いで変ると３方ダーツ引力で、布地はストレッチ出来る布地体となり、例え皴が出来る皮皴でも皴が出ない又Ｋｎｉｔ編地でも伸びたるみが出ない、布帛も同様の３ヶ所ダーツ及びタック用裁断でストレッチ出来る谷部（底）衣類及び自動車シートを形成する工程の裁断方法。
【請求項３】
布地の縫製部を少なくして短パンツ及ロングパンツを立体的に製造する、ストレッチ出来る布地機能を有するシームレスパンツ及び１枚裁断布で長パンツを製造方法であって図３（ａ）〜（ｂ）の輪裁ちシームレス短パンツ、下記長パンツ１枚裁断による出来上り図は図４及び図３長パンツの実物写真が１カット裁断１〜２枚布方法で縫い合せることを特徴とする請求項１〜２いずれかに記載の裁断方法の布地。
【請求項４】
布地を立体形ピラミッド凸部又は凹部を形成図４（ａ）〜（ｃ）する方法であって、Ｐａｎｔｓ又はジィーンズパンツの布地を１枚布で製造すると通常歩行が不可能であるのが股下部分がストレッチ出来ないのが原困である、さらにパンツ前立部中心は輪布地でＺｉｐｐｅｒ部は向って左側に位置するので左側縫目の相対的前身頃がさらに歩行、走行を悪くしているので、前中心線を８５度の左バイアスｌｅｆｔのＬｘを形成してダーツ縫代前立２２（５ｍｍ〜１ｃｍ）と下前２３ダーツ縫代（５ｍ〜１ｃｍ）の中間部に裁断部２４は前立下部カンヌキまで切断しその切断部隠し（ｈｉｄｅ）５ｍ部２５との２ヶ縫代合計（１．５ｍ〜２．５ｍ）のダーツ部を左傾き８５度が形成されるその左傾きを垂直線に修正する方法でフロントＦの前立下部カンヌキ部２６の下側左にタック部を６０度２７を形成する布地を裁断する、前身フロントの裁断の布地の製造方法の請求項１〜３記載の布地の製造装置。
【発明の詳細な説明】
【技術の分野】
【０００１】本発明は布地と左バイアスと右バイアスを用いて、タック又はダーツで立体形変化するピラミッド凸形凹形の山部と底部直角を丸み状態一枚布又は二枚布で作り出す方法で山形や谷形凸凹部を有する布地の裁断方法に関する。
【背景技術】
【０００２】従来、例えば米国特許６８００１５９Ｂ２号や特願２０００−４００１２０号に開示されているように請求項１、縦横９０度で織られた布帛布地を４５〜５５度裁断正方形布地として左〜右裁断バイアス部と右〜左裁断バイアス部として区別して伸縮性一方向した・・・裁断した平面布地。
【発明が解決しようとする課題】
【０００３】布地をバイアスで裁断は布地を多く使うわけは正方形布地から左裁断右裁断で２枚の布地が必要となり、不必要部分が図１（ａ）〜（ｈ）Ｒ８〜Ｌ８の空白部分の空地が出来るからである、その空白部分を有功利用をする方法でダーツ部分を活用で空白利用図３（ｂ）長パンツ前部にスペード形空白部Ｚを前身左から右に反転空白Ｚは布帛布地もＫｎｉｔ編地も正方形の反転バイアスは正方形布地の斜め線をｌｅｆｔ（Ｒ７）左バイアスで図２（ｄ）Ｒｉｇｈｔ（Ｌ７）を右バイアスとする手段で両７線下を空白に左〜右すると一目で分りやすいバイアスの布裁断無駄遣いを逆利用。
【課題を解決するための手段】
【０００４】本発明の発明者は縦横９０度で織られた正方形布地でバイアス斜地部は一枚から左〜右布は取れない様に例えば長パンツは前身２枚裁断した布地が通常の裁断方法とされていたので、布地の立体形、山形とか谷形部は出来なかったのは、通常の布地で張力の布地は自力のバイアス
2008163536.tif 000003
重なり合うので片方バイアスしか裁断出来ないと思われて来たが本発明者は前身中心線での小股部が突き出し重なり部分で、１枚布断が不可能に気付いた時、新インスプレーションがひらめいた。つまり重なり部分が必要布地分量を逆転の発想、重なり部分の不足を逆の方法でダーツを取って前身頃中心の下小股部を何度も何度も実験した試作でダーツ方法又はタック方法で、一枚布地パンツの裁断又は二枚布地裁断のワンカット裁断で縫製部を少くしてコスト引下げと一枚布だからストレッチ出来る布地を発明。
【発明を実施するための最良の形態】
【０００５】図１（ａ）〜（ｈ）本発明の実施の形態は米国特許６８００１５９Ｂ２号の特願２０００−４００１２０号本発明者の基本の原理、ストレッチ出来る物理は左バイアス布と右バイアス布衝突＝Ｓｔｒｅｔｃｈａｂｌｅ  ＣＬＯＴＨＳで糸のＳｔｒｅｔｃｈａｂｌｅ  ｆｉｂｒｅ（物理）＝Ｓ型糸と逆Ｓ型糸の衝突（ｒａｓｈＥｎｅｒｇｉｅ本発見者が開示図１〜（ｄ）を図に基づいて説明する。図１〜（ｄ）は普通糸の右バイアス（Ｌ７）で、図１〜（ｃ）は横織糸高分子センイで（２Ａ）左バイアス（Ｒ７）であり次に普通センイ又は高分子センイも左伸張Ｓ型で、右伸張が逆Ｓ字型ストレッチ出来るセンイ粒子体（本発明者発見
2008163536.tif 000004
で本発明の３Ｄ（立体）ストレッチ布を発明した。【０００６】図２（ａ）〜（ｅ）はＫｎｉｔ編地又は布帛織地第センイのストレッチ粒子体のストレッチエネルギーを図１（ｇ）〜（ｈ）左エネルギーＳ体で右エネルギー逆Ｓ体を図２（ａ）のパンツ前身９の中央部ダーツ完成部ｘ左〜右布センイ布体はバイアス衝突エネルギー体に形成してから前身下部にＭ字体に布カット裁断する次に図２（ａ）〜（Ｌ）は後身下部と前身下部を合体する方法で後身１０のパンツ下部に引伸ばし部１０′を短かめ布地を形成して、次に前身９と後身１０は下部９′〜１０′は合体はＭ字形縫合され部ｘ＝第２のセンイ衝突エネルギが発生するとＭ字形縫い合せ部ｘ…は谷凹部が出来て、前身頃９の中央に山凸部が自動的にｐｙｒａｍｉｄ１３部が形成される原理は３Ｄ立体ストレッチ張力布効果である。【０００７】図３（ａ）…丸はＫｎｉｔ丸編地１枚布「丸１１」で裁断したパンツ（短）で立体部作製は後身１０の下部１０′は引伸ばし部図３（ｂ）〜は、普通布（すべて）「１枚布１２でロングパンツ」を裁断したので縫い目を最も少なくして、しかも立体形３Ｄパンツが製造出来る最高の裁断図でロングパンツは中央は本来加えるべき小股部は失われた布地１３部が「Ｗ形部とＶ形部」が１３形成が重要なロングパンツを１枚布製造を可能とした股下中央ノッチ前１６と後側１６′で合致で長パンツ完成。【０００８】図２（ａ）〜（Ｌ）は本発明のブリーフパンツはこのように１枚断ちパンツ布地が立体的縫製で出来上る方法で前身９１枚布に立体形凸部１３はまず第１ダーツｘ＝左バイアスＬ８と右バイアスＲ８が合体ダーツが始まりでその両側渕に２ヶダーツＭ形１２が縫製されると自動的に山形Ｐｙｒａｍｉｄ部１３が出来上る事が本発明の中心的理論である図２（ａ）〜（ｃ）はシームレス編布（輪編）の男女用ブリーフで図２（ｉ）〜（Ｌ）は前開き用パンツで図２（ｃ）〜（ｅ）パンツは、左と右バイアス布の前身と後身バイアス交差布地。【０００９】図３（ａ）〜（ｅ）は本発明の１枚布地でロングパンツを立体的に製造する方法であって、前側９と後側９は１枚ので繋がっている事が特長でしかも立体的にストレッチ出来るパンツは後側尻部に前側下腹も１枚で繋がっているので裁断も縫製も関単でしかもストレッチ性も立体的機能が優れている後縫い合せ１５尻部の股下は前身１６と後側１６で合致ですべて１枚布ロングパンツ、寝まき、Ｇパンツ、モモ引、ズボン下、も１枚布で完成する。【００１０】図４（ａ）〜（ｃ）は本発明Ｆフロント１枚布で立体形パンツを製造の目的でフロント部は８５度の左バイアスの傾きが通常である（物理的）さらに前立部ジッパー又はボタン付け部２２上前、２３下前の縫代が必要でその重なり部２５の合計１．５ｍ〜２．５ｍの傾むき縫代の下部にタック部２７を形成部はカンヌキ部２６に向ってタック２７は６０度はジッパーテープ縫い上り後合体はカンヌキ図４（ｃ）のジッパーテープをオープン開きの状熊でカンヌキ２６でタック部２７は合体されるとジッパーテープを閉じると、新ピラミッドの凸部の立体で仕上る仕組の出来上りは図５（ｈ）ジッパー閉じ出来上りタックのパンツである。【００１１】図５（ａ）〜（ｇ）は本発明の自動車用布地シートをダーツ又はタックを取る事によってストレッチ出来る布地を立体形に製造で皴を出さ無い方法で主布地９向って支持布地を引伸し布１０′で立体形布地の自動車用シート布地裁断方法である。次に図５（ｈ）〜（ｊ）はパンツ前身のタック取り縫上り図であるが図５（ａ）〜（ｇ）の自動車シート用にもタック及びダーツ形成の出来上り方法である凸部凹部布体
【実施例】
【００１２】（実施例１）図１は左バイアス切断布帛布〜ニット編〜高分子センイと右バイアス切断布帛布〜ニット編〜高分子センイ切断で、布地空間部をダーツ部分を正方形布地から、左バイアスと右バイアスに区別したＵ．Ｓ．特許６８００１５９Ｂ２号の方法による理論である【００１３】（実施例２）図２〜３は本発明のニット及び布帛布、皮、その他布地で立体裁断のブリーフ及び長パンツで用いた、ストレッチ出来る立体パンツの裁断と製造法。【００１４】（実施例３）図４はパンツのフロント中心を傾かせ８５度左を２７右６０度タックで前立をｙ字（小字）形に開２４を形成して、カンヌキ２６で固定（ｆｉｘ）はダーツとタック同時合体でｙ形はジッパーを閉めるとフロント中心で傾むきが立体直線で出現する【００１５】（実施例４）図５は本発明で自動車シート及びパンツをストレッチ出来る方法でダーツ又はタッグで立体裁断する立体形を形成の布地の製造方法、着用時立体はｙ字布閉でＺｉｐｐｅｒ．ｔｕｃｋでシートカバーも楽に伸張布常熊出来る。
【発明の効果】
【００１６】本発明の左バイアス、タック又はダーツと右バイアス、タック又はダーツ主布地の裁断布側と支持布地側は伸張布側で立体形凸部と凹部の引力（張力）を有効利用の最大の難関はｐａｎｔｓ中心線が斜め傾で立体形が美しくない、又長パンツを一枚の布地で出来る方法の原理上、前開き（フロント）８５度と６０度タック（又はダーツ）の合致点を発見の新立体方式を発明で、パンツや、自動車バイアス布シートのストレッチ出来る布地が立体で可能となる人類始めて一枚布帛布パンツ発明はｙ形タックで。
【図面の簡単な説明】
【００１７】
【図１】（ａ）〜（ｈ）は本発明の第１の左布と糸の左バイアスと右バイアスのダーツ部分の手順を模式的に説明する説明図である。
【図２】（ａ）〜（Ｌ）は本発明のパンツ布地の第１のダーツの部分裁断と縫製方法の手順を模式的に示す説明図である。
【図３】（ａ）〜（ｅ）は本発明の第１の実施例の丸編ニットと布帛布地一枚布パンツ裁断方法と縫製出来上りの手順を模式的に示す説明図である。
【図４】（ａ）〜（ｃ）は本発明のｙ字形ダーツ＆タックで新形ピラミッドを発明した人類でパンツを完成した８５度。
【図５】（ａ）〜（ｊ）は本発明の第１の方法と、ｙ字形ダーツ＆タックでピラミットを発明した自動車シートとパンツ前身頃に裁断方法を用いた、製造方法の手順を示す説明図である。
【符号の説明】
【００１８】Ｒ１・・・・左ｌｅｆｔバイアス用センイ（ポリウレタン高分子センイ）縦糸
Ｌ１・・・・右ｒｉｇｈｔバイアス用センイ（ポリウレタン高分子センイ）縦糸
Ｒ２・・・・左ｌｅｆｔバイアス用センイ（ポリウレタン高分子センイ）横糸
Ｌ２・・・・右ｒｉｇｈｔバイアス用センイ（ポリウレタン高分子センイ）横糸
Ｒ３・・・・左ｌｅｆｔバイアス用正方形部右側角部Ｒ３〜Ｒ５
Ｌ３・・・・右ｒｉｇｈｔバイアス用正方形部右側角部Ｌ３
Ｌ４・・・・右ｒｉｇｈｔバイアス用正方形部左側下角部Ｌ４
Ｒ５・・・・左ｌｅｆｔバイアス用正方形部右側下角部Ｒ５
Ｒ６・・・・左ｌｅｆｔバイアス用正方形部左側角部Ｒ６
Ｌ６・・・・右ｒｉｇｈｔバイアス用正方形部左側角部Ｌ６
Ｒ７・・・・左ｌｅｆｔバイアス用正方形部切断線Ｒ７左方向
Ｌ７・・・・右ｒｉｇｈｔバイアス用正方形部切断線Ｌ７右方向
Ｓ・・・・・高分子センイ（又は普通糸）ストレッチ出来る左Ｓ方向
逆Ｓ・・・・高分子センイ（又は普通糸）ストレッチ出来る逆Ｓ方向
Ｒ８・・・・左ｌｅｆｔバイアス用正方形からダーツ用削除空間Ｒ８
Ｌ８・・・・右ｒｉｇｈｔバイアス用正方形からダーツ用削除空間Ｌ８
９・・・・・主布地は前身又は引力にさからう側（非伸縮性側）
１０・・・・支持部材は後身又は伸張引力側（伸縮性伸張側布）
１０′・・・支持部材の伸張仕掛け部（伸ばす布部）
ｘ・・・・・左ｌｅｆｔＲ８とＬ８のダーツ用削除部Ｒ〜Ｌ７縫い合せ部
１１・・・・Ｗダーツの一部左側ダーツ前身中央部左１１
１１′・・・Ｗダーツの一部右側ダーツ前身中央部左１１′
１２・・・・縫い合せたＷダーツがＭ形に変形出来上りＭ縫
１３・・・・Ｍ形縫い上りで出来た立体形ｐｙｒａｍｉｄ、ストレッチ凸部
０・・・・・編地（Ｋｎｉｔ）輪筒丸編地のパンツ用布地１枚布
０′・・・・布地裁断布平面織地のパンツ用布地１枚布
１４・・・・パンツ男物用前開き部
Ｍ・・・・・Ｍ形Ｗダーツ部前身（主布地）９の下部
１５・・・・パンツ後身尻部縫い合せ部
１６・・・・パンツ股下・・・・・・・・（左部と右部）
１７・・・・自動車シートストレッチ側カットする左バイヤス（支持布地）
１８・・・・自動車シートストレッチ側カットする右バイヤス（支持布地）
１９・・・・自動車シート用非伸縮側主布地横織地
２０・・・・自動車シート用非伸縮側主布地縦織地
２１・・・・自動車シート用ストレッチ側と非伸縮布合体Ｙ字布
２２・・・・Ｐａｎｔｓ前立部縫代（上前）
２３・・・・Ｐａｎｔｓテング部縫代（下前）
２４・・・・Ｐａｎｔｓ前立（上前）とテング（下前）裁断部分
２５・・・・Ｐａｎｔｓの上前と下前の重なり部分（ジッパー隠）
２６・・・・Ｐａｎｔｓ前立下の下前重なりカンヌキＰｙｒａｍｉｄ上
２７・・・・Ｐａｎｔｓ  ｙ字形ダーツ＆タック６０度タック部
Ｆ・・・・・Ｐａｎｔｓ中心部フロント線
Ｂ・・・・・Ｐａｎｔｓ後面
２６ｙ・・・Ｐａｎｔｓは２６カンヌキ縫製時、Ｚｉｐｐｅｒ開オープンでｙ形で
２８・・・・Ｐａｎｔｓ中心フロントをタックｌｅｆｔ方向タックたおし
【図１】
2008163536.tif 000005
【図２】
2008163536.tif 000006
【図３】
2008163536.tif 000007
【図４】
2008163536.tif 000008
【図５】
2008163536.tif 000009